(57)【要約】      （修正有）【課題】雌ネジ付き導管内の残存管を容易に取り除くと共に、雌ネジ部分の残留物を除去できる残存物除去装置を提供する。【解決手段】把手部１１、１１ａ、あご部１２、１２ａ、結合座１３、１３ａを備えるアーム１４、１４ａを連結する連結部１５を有するプライヤ形態からなり、残存管を除去すると共に、除去後の雌ネジ溝に残された残留物を取り除くための残存物除去装置１０であって、プライヤが把手部１１、１１ａと、あご部１２、１２ａを連結部１５の軸心１６に対して同一側に設けられると共に、あご部１２、１２ａの外側にネジ型歯１７、１７ａを有し、残存管内に挿入し、把手部１１、１１ａ間を挟持してあご部１２、１２ａ間を離間させ、ネジ型歯１７、１７ａを残存管の内壁に圧接させながら回転させて取り除いた後、入口の雌ネジ溝に当接させ、回転させて残留物を押し出す。【選択図】図１
0003157349.tif 000002
【実用新案登録請求の範囲】
【請求項１】
一方の端部側に把手部と、他方の端部側にあご部と、中央に当接面同士を相対向させて摺動できる結合座を備える第１のアームと、第２のアームを前記結合座同士を当接させて連結する連結部を有するプライヤの形態からなり、雌ネジ付き導管に設ける雌ネジ部分で、又は該雌ネジ部分の外で折れ込んで残った雄ネジ付き導管の残存管を除去すると共に、除去した後の前記雌ネジ付き導管の雌ネジ溝に残された残留物を取り除くための残存物除去装置であって、
前記プライヤが前記第１のアームと、前記第２のアームのそれぞれの前記把手部と、前記あご部を平面視してそれぞれ前記連結部の軸心に対して同一側に位置して設けられると共に、前記第１のアームと、前記第２のアームのそれぞれの前記あご部の相対向して外部に露出する側である外側にネジ型歯を有し、前記プライヤのそれぞれの前記あご部を該あご部間を当接させた状態で前記雄ネジ付き導管の前記残存管内に挿入し、前記プライヤのそれぞれの前記把手部間を挟持してそれぞれの前記あご部間を離間させ、前記プライヤのそれぞれの前記ネジ型歯を前記残存管の内壁に圧接させながら前記プライヤを回転させて前記残存管を前記雌ネジ付き導管から引き出して取り除いた後、前記プライヤのそれぞれの前記把手部間を挟持しながら前記ネジ型歯を前記雌ネジ付き導管の入口の前記雌ネジ溝に当接させ、前記プライヤを回転させて前記ネジ型歯で前記雌ネジ溝を摺動させながら前記残留物を前記雌ネジ付き導管内に押し出すことを特徴とする残存物除去装置。
【請求項２】
請求項１記載の残存物除去装置において、前記ネジ型歯のネジ山とネジ溝のピッチが前記雌ネジの前記ピッチと同等からなると共に、前記ネジ型歯の前記ピッチが前記プライヤの回転に合わせて前記第１のアームと、前記第２のアームを連通することを特徴とする残存物除去装置。
【請求項３】
請求項１又はこれに従属する請求項２記載の残存物除去装置において、前記ネジ型歯を設けるネジ型歯体が前記第１のアームと、前記第２のアームのそれぞれの前記あご部に着脱自在に取り付けられることを特徴とする残存物除去装置。
【請求項４】
請求項１又はこれに従属する請求項２〜３のいずれか一項記載の残存物除去装置において、前記第１のアームと、前記第２のアームのそれぞれの前記把手部に貫通孔を有し、該貫通孔にボルトを挿通させると共に、前記ボルトにナット、又は蝶ネジを取り付ける前記把手部間を挟持して固定するためのグリップエンドを有することを特徴とする残存物除去装置。
【考案の詳細な説明】
【技術分野】
【０００１】
本考案は、配管継手のような雌ネジ付き導管に設ける雌ネジ部分で、又は雌ネジ部分の外で折れ込んで残った雄ネジ付き導管の残存管を取り除いたり、雄ネジ付き導管を取り除いた後の雌ネジ付き導管に設ける雌ネジ溝に残された残留物を取り除いたりするための残存物除去装置に関する。
【背景技術】
【０００２】
従来から、屋内、屋外に配設された水道管や、ガス管等の雌ネジ付き導管にネジ締めして設ける雄ネジ付き導管のような配管は、長期間の使用や、地質、水質等の性質、土圧等による影響や、自然災害等によって雌ネジ付き導管に設ける雌ネジ部分で、又は雌ネジ部分の外で雄ネジ付き導管が折れ込んでその残存管が雌ネジ付き導管に残ってしまうという問題があった。この雄ネジ付き導管が炭素鋼管の場合には、長期間の使用によって器具廻り等の配管継手のような雌ネジ付き導管の雌ネジ部分との接続部である雄ネジ部分に錆腐蝕が発生し、雌ネジ付き導管に設ける雌ネジ部分で、又は雌ネジ部分の外で折れるというような破損が発生している。また、雄ネジ付き導管が黄銅管の場合には、水質の影響、特に、井戸水等によって水栓機器廻り等の雌ネジ付き導管との接続部の雄ネジ部分に破損が発生している。更には、雄ネジ付き導管が塩化ビニール管の場合には、地震や地盤沈下等での土圧によってバルブソケット等の雌ネジ付き導管との接続部の雄ネジ部分に破損が発生している。従来、このような雌ネジ付き導管に設ける雌ネジ部分で、又は雌ネジ部分の外で折れ込んで残った残存管や、残存管を取り除いた後の雌ネジ付き導管の雌ネジ溝内に残った残留物のような残存物は、タップを用い、このタップを逆に立てて残存管を取り除いたり、タップを頻繁に取り替えて残留物を除去していた。
【０００３】
しかしながら、タップのような残存物除去装置では、雄ネジ付き導管の内径の大きさが様々であったり、導管内壁の腐食状態によって内径の大きさが大きく変化するので、様々な大きさのタップを準備しておいても様々な内径状態に対して対応しきれない上に、作業精度が低いという問題があった。また、タップのような残存物除去装置では、導管内にいちいちタップを当てはめながら煩雑に取り替える必要があるので、非常に作業効率の低いものとなっていた。
【０００４】
そこで、近年では、図６（Ａ）、（Ｂ）に示すように、残存物除去装置５０には、エルボ等の配管継手のような雌ネジ付き導管５１に設ける雌ネジ５２部分で、又は雌ネジ５２部分の外で折れ込んで残った雄ネジ付き導管の残存管５３のような残存物に対して、これを取り外すために専用の内径レンチからなる残存物除去装置５０が用いられている。この内径レンチからなる残存物除去装置５０は、先端部を折れ込んで残った雄ネジ付き導管の残存管５３内に挿入して本体を回転させることで偏心ロック部５４を作動させ、本体と、偏心ロック部５４の中心にズレを発生させることで折れ込んで残った雄ネジ付き導管の残存管５３内の内側から強力にロックさせるようになっている。そして、雌ネジ付き導管５１に設ける雌ネジ５２部分で、又は雌ネジ５２部分の外で折れ込んで残った雄ネジ付き導管の残存管５３は、内径レンチ５０の回転によって雌ネジ付き導管５１から離脱させることで取り除くようにしている。
【０００５】
従来のネジ軸が錆び付いたビスを弛めて取り除くためのプライヤには、Ｘ字状に交差するように配置した両挟持アームを連結軸で連結し、各挟持アームの一端にアゴ部を有し他端側に握り柄が設けてあり、アゴ部の先端対向面にはビス頭の対向周面を挟持捕捉する一対の挟歯が凹み形成されており、第１挟持アームと第２挟持アームとが左利き用のはさみの交差形態と同じ逆交差構造としてビスを弛み操作するとき、捻り反力によって両挟持アームの接合座が互いに密着できるようにしたものが提案されている（例えば、特許文献１参照）。
【０００６】
従来の折れネジ除去方法及びそれに用いられるセンタリング具には、ネジ孔内周面とネジ孔内の折れネジ外周面の間にセンタリング具の筒状先端部を差し込み、又はネジ孔の外に突出している折れネジの折れ端部外周にセンタリング具の嵌合空間部を被せ、又は折れネジの折れ端部外周にセンタリング具の筒状先端部を被せると共にセンタリング具の筒状先端部をネジ孔内周面と折れネジ外周面の間に差し込み、それらセンタリング具の中心に貫通されたポンチ孔差込孔内にポンチを差し込み、そのポンチの先端で折れネジの折れ端面であってネジ孔の中心部となる箇所に凹部を形成し、その凹部を中心としてドリルやエキストラクターによってネジをネジ孔から除去する方法が提案されている（例えば、特許文献２参照）。
【先行技術文献】
【特許文献】
【０００７】
【特許文献１】特開２００５−２７９８０１号公報
【特許文献２】特開２００９−７２８７０号公報
【考案の概要】
【考案が解決しようとする課題】
【０００８】
しかしながら、従来の残存物除去装置には、いまだ解決すべき次のような問題がある。
（１）内径レンチからなる残存物除去装置は、雄ネジ付き導管の腐蝕や、傷みが軽微で、管自体に強度がある場合には、内径レンチの偏心ロック部で雄ネジ付き導管の内壁に強力に押し当てて雄ネジ付き導管の残存管のような残存物を破壊させることなく回転させて除去することができるものの、取り除いた後の、雌ネジ付き導管の雌ネジ溝内に残ったシール材や錆滓等の残留物のような残存物はワイヤーブラシ等で時間と手間を掛けて取り除く必要がある。また、内径レンチからなる残存物除去装置は、雄ネジ付き導管の腐蝕や、傷みが激しい場合には、内径レンチが折れ残った雄ネジ付き導管の残存管を突き破って雌ネジ付き導管の雌ネジ溝内に残存管の雄ネジ山等の残留物をくい込ませ、これを取り除くことができないと共に、むしろ、雌ネジ付き導管の雌ネジ部分を傷つけて破壊してしまうという問題がある。
（２）特開２００５−２７９８０１号公報や、特開２００９−７２８７０号公報で開示される残存物除去装置は、雌ネジ付き導管の中に折れ込んだネジ自体を取り除くための残存物除去装置であって、雌ネジ付き導管のような中空の配管を取り除くことはできない形態となっている。
本考案は、かかる事情に鑑みてなされたものであって、雌ネジ付き導管内に折れ残った残存管を容易に取り除くと共に、雌ネジ付き導管の雌ネジ部分を破壊させることなく容易に残留物を除去できる残存物除去装置を提供することを目的とする。
【課題を解決するための手段】
【０００９】
前記目的に沿う本考案に係る残存物除去装置は、一方の端部側に把手部と、他方の端部側にあご部と、中央に当接面同士を相対向させて摺動できる結合座を備える第１のアームと、第２のアームを結合座同士を当接させて連結する連結部を有するプライヤの形態からなり、雌ネジ付き導管に設ける雌ネジ部分で、又は雌ネジ部分の外で折れ込んで残った雄ネジ付き導管の残存管を除去すると共に、除去した後の雌ネジ付き導管の雌ネジ溝に残された残留物を取り除くための残存物除去装置であって、プライヤが第１のアームと、第２のアームのそれぞれの把手部と、あご部を平面視してそれぞれ連結部の軸心に対して同一側に位置して設けられると共に、第１のアームと、第２のアームのそれぞれのあご部の相対向して外部に露出する側である外側にネジ型歯を有し、プライヤのそれぞれのあご部をあご部間を当接させた状態で雄ネジ付き導管の残存管内に挿入し、プライヤのそれぞれの把手部間を挟持してそれぞれのあご部間を離間させ、プライヤのそれぞれのネジ型歯を残存管の内壁に圧接させながらプライヤを回転させて残存管を雌ネジ付き導管から引き出して取り除いた後、プライヤのそれぞれの把手部間を挟持しながらネジ型歯を雌ネジ付き導管の入口の雌ネジ溝に当接させ、プライヤを回転させてネジ型歯で雌ネジ溝を摺動させながら残留物を雌ネジ付き導管内に押し出す。
【００１０】
ここで、上記の残存物除去装置は、ネジ型歯のネジ山とネジ溝のピッチが雌ネジのピッチと同等からなると共に、ネジ型歯のピッチがプライヤの回転に合わせて第１のアームと、第２のアームを連通するのがよい。
【００１１】
また、上記の残存物除去装置は、ネジ型歯を設けるネジ型歯体が第１のアームと、第２のアームのそれぞれのあご部に着脱自在に取り付けられるのがよい。
【００１２】
更に、上記の残存物除去装置は、第１のアームと、第２のアームのそれぞれの把手部に貫通孔を有し、貫通孔にボルトを挿通させると共に、ボルトにナット、又は蝶ネジを取り付ける把手部間を挟持して固定するためのグリップエンドを有するのがよい。
【考案の効果】
【００１３】
上記本考案の残存物除去装置は、一方の端部側に把手部と、他方の端部側にあご部と、中央に当接面同士を相対向させて摺動できる結合座を備える第１のアームと、第２のアームを結合座同士を当接させて連結する連結部を有するプライヤの形態からなり、雌ネジ付き導管に設ける雌ネジ部分で、又は雌ネジ部分の外で折れ込んで残った雄ネジ付き導管の残存管を除去すると共に、除去した後の雌ネジ付き導管の雌ネジ溝に残された残留物を取り除くための残存物除去装置であって、プライヤが第１のアームと、第２のアームのそれぞれの把手部と、あご部を平面視してそれぞれ連結部の軸心に対して同一側に位置して設けられると共に、第１のアームと、第２のアームのそれぞれのあご部の相対向して外部に露出する側である外側にネジ型歯を有し、プライヤのそれぞれのあご部をあご部間を当接させた状態で雄ネジ付き導管の残存管内に挿入し、プライヤのそれぞれの把手部間を挟持してそれぞれのあご部間を離間させ、プライヤのそれぞれのネジ型歯を残存管の内壁に圧接させながらプライヤを回転させて残存管を雌ネジ付き導管から引き出して取り除いた後、プライヤのそれぞれの把手部間を挟持しながらネジ型歯を雌ネジ付き導管の入口の雌ネジ溝に当接させ、プライヤを回転させてネジ型歯で雌ネジ溝を摺動させながら残留物を雌ネジ付き導管内に押し出すので、折れ残った雄ネジ付き導管の残存管の腐蝕や、傷みが軽微で、管自体に強度がある場合には、プライヤのあご部の外側に設けるネジ型歯で雄ネジ付き導管の残存管内壁に強力に押し当てて残存管を破壊させることなく回転させて除去することができ、取り除いた後は、再度プライヤのネジ型歯を雌ネジ付き導管の雌ネジ溝に合わせて押し当てながら回転させて雌ネジ部分を破壊させることなく雌ネジ溝に残ったシール材や錆滓等の残留物を容易に取り除くことができる。また、雄ネジ付き導管の腐蝕や、傷みが激しい場合には、ネジ型歯を直接雌ネジ付き導管の雌ネジ部分に当接させて回転させたとしても雌ネジ付き導管の雌ネジ部分を傷つけることなく雌ネジ付き導管の雌ネジ溝内に折れ残った雄ネジ付き導管の雄ネジ山や、シール材等の残留物を容易に取り除くことができる。
【００１４】
特に、上記の残存物除去装置は、ネジ型歯のネジ山とネジ溝のピッチが雌ネジのピッチと同等からなると共に、ネジ型歯のピッチがプライヤの回転に合わせて第１のアームと、第２のアームを連通するので、雌ネジ付き導管内に折れ残った雄ネジ付き導管の残存管内壁にネジ型歯を強力に押し当てて残存管を破壊させることなく回転させて除去することができると共に、ネジ型歯のネジ山とネジ溝のピッチを雌ネジ付き導管の雌ネジのピッチと同等からなる溝に合わせて押し当てながら回転させて雌ネジ部分を破壊させることなく雌ネジ溝に残ったシール材や錆滓等の残留物を容易に取り除くことができる。
【００１５】
また、特に、上記の残存物除去装置は、ネジ型歯を設けるネジ型歯体が第１のアームと、第２のアームのそれぞれのあご部に着脱自在に取り付けられるので、雌ネジ付き導管に設ける雌ネジ溝のピッチと同じピッチからなるネジ型歯体を容易に着脱自在に取り付けることができ、ネジ型歯体のネジ型歯を雌ネジ付き導管の雌ネジ溝に合わせて押し当てながら回転させて雌ネジ部分を破壊させることなく雌ネジ溝に残ったシール材や錆滓等の残留物を容易に取り除くことができる。
【００１６】
更に、特に、上記の残存物除去装置は、第１のアームと、第２のアームのそれぞれの把手部に貫通孔を有し、貫通孔にボルトを挿通させると共に、ボルトにナット、又は蝶ネジを取り付ける把手部間を挟持して固定するためのグリップエンドを有するので、ネジ型歯を雄ネジ付き導管の残存管内壁にグリップエンドで一定の強力な押圧力で押し当てて残存管を破壊させることなく回転させて除去することができると共に、ネジ型歯を雌ネジ付き導管の雌ネジ溝に合わせグリップエンドで一定の力で押し当てながら回転させて雌ネジ部分を破壊させることなく雌ネジ溝に残ったシール材や錆滓等の残留物を容易に取り除くことができる。
【図面の簡単な説明】
【００１７】
【図１】本考案の一実施の形態に係る残存物除去装置の説明図である。
【図２】同残存物除去装置の作動形態の説明図である。
【図３】同残存物除去装置の作動形態の説明図である。
【図４】同残存物除去装置の作動形態の説明図である。
【図５】同残存物除去装置の変形例、更に他の変形例の説明図である。
【図６】同残存物除去装置を分解した説明図である。
【図７】（Ａ）、（Ｂ）はそれぞれ従来の内径レンチからなる残存物除去装置の説明図である。
【考案を実施するための形態】
【００１８】
続いて、添付した図面を参照しつつ、本考案を具体化した実施するための形態について説明し、本考案の理解に供する。
【００１９】
図１に示すように、本考案の一実施の形態に係る残存物除去装置１０は、ペンチを含む挟み工具全般の呼称として用いられているプライヤの形態からなっている。この残存物除去装置１０は、プライヤの形態が棒状体の一方の端部側に把手部１１と、他方の端部側にあご部１２と、中央に当接面同士を相対向させて摺動できる結合座１３を備える第１のアーム１４と、同じようにして把手部１１ａと、あご部１２ａと、結合座１３ａを備える第２のアーム１４ａを結合座１３、１３ａ同士を当接させる連結部１５で連結して有している。そして、この残存物除去装置１０は、エルボのような配管継手等の雌ネジ付き導管３０（図２〜図４参照）に設ける雌ネジ３１部分で、又は雌ネジ３１部分の外で折れ込んで残った雄ネジ付き導管の残存管３２を除去すると共に、残存管３２を取り除いた後の雌ネジ付き導管３０の雌ネジ３１溝に残されたシール材や、残存管３２の錆滓、ネジ山屑等の残留物３３を取り除くために用いている。
【００２０】
上記の残存物除去装置１０は、プライヤが第１のアーム１４と、第２のアーム１４ａのそれぞれの把手部１１、１１ａと、あご部１２、１２ａを平面視してそれぞれ連結部１５の軸心１６に対して同一側に位置して設けられている。すなわち、この残存物除去装置１０は、プライヤの把手部１１、１１ａ間を挟持することで、連結部１５を介してあご部１２、１２ａ間が離間する梃子の作用が発生するようになっている。これと共に、上記の残存物除去装置１０は、プライヤが第１のアーム１４と、第２のアーム１４ａのそれぞれのあご部１２、１２ａの相対向して外部に露出する側である外側にネジ型歯１７、１７ａを有している。この残存物除去装置１０は、常時はプライヤが第１のアーム１４と、第２のアーム１４ａのあご部１２、１２ａ間が当接し、把手部１１、１１ａ間が開放しているようにするために、通常、連結部１５近傍の把手部１１、１１ａに把手部１１、１１ａ間を押し広げるためのバネ体１８を設けている。このバネ体１８は、通常、プライヤのあご部１２、１２ａのそれぞれに設ける受け穴の中に両端部が差し込まれて保持されるようになっている（図６参照）。
【００２１】
なお、この残存物除去装置１０は、ネジ型歯１７、１７ａの形状を特に限定するものではないが、第１のアーム１４と、第２のアーム１４ａのあご部１２、１２ａの根元部側では当接し、先端部側では離間し、更に、先端部が先端に行くに従って互いの離間距離が大きくなるような平面視して先端頂点が互いに外側に離間した鋭角な三角形状になっているのが好ましい。これにより、先端部の外側にネジ型歯１７、１７ａを設けたあご部１２、１２ａは、互いの当接している根元部間を開放させることで、先端部のネジ型歯１７、１７ａのそれぞれの上面頂部間が互いに平行状態になるような形状としている。
【００２２】
次に、図２〜図４を参照しながら、上記の残存物除去装置１０の作動形態を説明する。
図２に示すように、上記の残存物除去装置１０は、プライヤのそれぞれのあご部１２、１２ａを、この一方のあご部１２と他方のあご部１２ａの根元部側の間をバネ体１８の力で当接させた状態にして配管継手等のような雌ネジ付き導管３０の雌ネジ３１部分で、又は雌ネジ３１部分の外で折れ込んで残った雄ネジ付き導管の残存管３２内に挿入している。この残存物除去装置１０は、プライヤのそれぞれのあご部１２、１２ａの先端部が細くなっているので、容易に雄ネジ付き導管の残存管３２内に挿入させることができる。
【００２３】
次いで、図３に示すように、残存物除去装置１０は、プライヤのそれぞれの把手部１１、１１ａ間を挟持して、それぞれのあご部１２、１２ａの根元部側の当接部間を離間させ、プライヤのそれぞれのネジ型歯１７、１７ａを残存管３２の内壁に圧接させながらプライヤ自体を残存管３２が雌ネジ付き導管３０の雌ネジ３１から抜け出る側の方向に回転させて残存管３２を雌ネジ付き導管３０から引き出して取り除いている。そして、残存物除去装置１０では、プライヤのそれぞれの把手部１１、１１ａ間を開放させて、雌ネジ付き導管３０から引き出して取り除いた残存管３２をネジ型歯１７、１７ａから取り出して廃棄している。
【００２４】
上記の残存物除去装置１０は、ネジ型歯１７、１７ａ間があご部１２、１２ａの根元部間を開放させることで、先端部のネジ型歯１７、１７ａのそれぞれの上面頂部間が互いに平行状態にすることができる。これにより、残存物除去装置１０は、ネジ型歯１７、１７ａのそれぞれの長さ方向の稜縁部の広範囲で残存管３２内壁に４点で食い込ませることができ、強い回転力を発揮させることができるので、残存管３２の雄ネジ部分を雌ネジ付き導管３０の雌ネジ３１部分に噛み込ませることなく残存管３２を効率的に取り出すことができる。また、この残存物除去装置１０は、残存管３２が激しい腐蝕で原型を留めないような場合であっても、雌ネジ付き導管３０に残された残存管３２の残骸をプライヤ自体を回転させてネジ型歯１７、１７ａを雌ネジ付き導管３０の雌ネジ３１溝に摺動させるようにして雌ネジ３１部分を破壊させることなく取り出すことができる。
【００２５】
次いで、図４に示すように、残存物除去装置１０は、プライヤのそれぞれの把手部１１、１１ａ間の開放を一定に保ちながら挟持してネジ型歯１７、１７ａを雌ネジ付き導管３０の入口の雌ネジ３１溝に当接させている。そして、残存物除去装置１０は、プライヤ自体を回転させてプライヤのそれぞれのネジ型歯１７、１７ａを雌ネジ３１溝に摺動させながら回転させて前進させることで、シール材や、残存管３２の錆滓、ネジ山屑等の残留物３３を雌ネジ付き導管３０奥内に押し出しすように除去している。
【００２６】
上記の残存物除去装置１０は、前記と同様に、ネジ型歯１７、１７ａ間があご部１２、１２ａの根元部間を開放させることで、先端部のネジ型歯１７、１７ａのそれぞれの上面頂部間が互いに平行状態にすることができるので、雌ネジ付き導管３０の雌ネジ３１溝の広範囲にわたってネジ型歯１７、１７ａを当接させることができる。これにより、残存物除去装置１０は、ネジ型歯１７、１７ａを雌ネジ付き導管３０の雌ネジ３１溝に噛み込ませることなく回転させることができ、残留物３３を効率的に押し出して除去することができる。また、この残存物除去装置１０は、プライヤ自体の回転を少しずつの往復運動を繰り返すことでネジ型歯１７、１７ａにタップとしての機能を持たせることができ、雌ネジ付き導管３０の雌ネジ３１のネジ山や、ネジ溝を修復させることもできる。
【００２７】
上記の残存物除去装置１０は、図示しないが、それぞれのネジ型歯１７、１７ａのネジ山と、ネジ溝のピッチが雌ネジ付き導管３０の雌ネジ３１のピッチと同等からなると共に、それぞれのネジ型歯１７、１７ａのピッチがプライヤ自体の回転に合わせて第１のアーム１４と、第２のアーム１４ａを連通するのがよい。これにより、上記の残存物除去装置１０は、プライヤを雌ネジ付き導管３０の雌ネジ３１溝に摺動させながら回転させた時に、ネジ型歯１７、１７ａを雌ネジ付き導管３０の雌ネジ３１に引っかけることなく回転させることができ、雌ネジ３１溝内の残存管３２の残渣や、残留物３３をスムースに取り出したり、押し出したりすることができる。
【００２８】
次に、図５、図６を参照しながら、本考案の一実施の形態に係る残存物除去装置１０の変形例の残存物除去装置１０ａ、更に他の変形例の残存物除去装置１０ｂを説明する。
図５に示すように、上記の残存物除去装置１０の変形例の残存物除去装置１０ａは、ネジ型歯１７、１７ａを設けるネジ型歯体１９、１９ａが第１のアーム１４と、第２のアーム１４ａのそれぞれのあご部１２、１２ａに着脱自在に取り付けられている。図６に示すように、残存物除去装置１０ａは、上記のネジ型歯体１９、１９ａのそれぞれをあご部１２、１２ａに設ける凸列体からなるキー部２０、２０ａと、ネジ型歯体１９、１９ａに設ける凹列体からなるキー溝部２１、２１ａでそれぞれを嵌合させると共に、ネジ２２、２２ａで締め付けて取り付けている。この残存物除去装置１０ａは、ネジ型歯１７、１７ａが破損した場合には、容易に他のネジ型歯体１９、１９ａと交換することができる。
【００２９】
また、上記の残存物除去装置１０ａは、ネジ型歯体１９、１９ａを雄ネジ付き導管の残存管３２や、雌ネジ付き導管３０の雌ネジ３１部分の状況に応じて適宜対応できるようなネジ型歯１７、１７ａのピッチが異なる複数組のネジ型歯体１９、１９ａを準備しておくのがよい。これにより、残存物除去装置１０ａは、ネジ型歯体１９、１９ａを簡単に、しかも、強固にあご部１２、１２ａに着脱自在に取り付け、ネジ型歯１７、１７ａを残存管３２の内壁や、雌ネジ付き導管３０の雌ネジ３１部分に適切に当接させながらネジ型歯体１９、１９ａを回転させることができ、残存管３２や、残留物３３を適切に取り除くことができる。特に、雌ネジ付き導管３０の雌ネジ３１部分の残留物３３は、雌ネジ３１のピッチに適切に適応するピッチを有するネジ型歯体１９、１９ａに取り替えたプライヤを用いることで、ネジ型歯体１９、１９ａを雌ネジ３１部分に適切に当接させながら回転させることができ、雌ネジ３１を破壊させることなく適切に取り除くことができる。
【００３０】
更には、残存物除去装置１０ａは、ネジ型歯体１９、１９ａを雄ネジ付き導管の残存管３２や、雌ネジ付き導管３０の雌ネジ３１部分の状況に応じて適宜対応できるようなネジ型歯１７、１７ａの先端部が先端に行くにつれて大きくなるその離間距離が異なる形状の複数組を準備しておくのがよい。これにより、残存物除去装置１０ａは、ネジ型歯体１９、１９ａを簡単に、しかも、強固にあご部１２、１２ａに着脱自在に取り付け、ネジ型歯体１９、１９ａのネジ型歯１７、１７ａを残存管３２の内壁や、雌ネジ付き導管３０の雌ネジ３１部分に強力に当接させてネジ型歯体１９、１９ａを回転させることができ、残存管３２や、残留物３３を適切に取り除くことができる。特に、雌ネジ付き導管３０に設ける雌ネジ３１部分で、又は雌ネジ３１部分の外で折れ込んで残った雄ネジ付き導管の残存管３２は、ネジ型歯１７、１７ａの先端部が先端に行くにつれて大きくなるその離間距離が大きいネジ型歯体１９、１９ａに取り替えたプライヤを用いることで、ネジ型歯体１９、１９ａの先端部を残存管３２の内壁に強力に食い込ませながら回転させることができ、容易に取り除くことができる。
【００３１】
なお、残存物除去装置１０ａは、図示しないが、上記の残存物除去装置１０の場合と同様に、それぞれのネジ型歯１７、１７ａのネジ山と、ネジ溝のピッチが雌ネジ付き導管３０の雌ネジ３１のピッチと同等からなると共に、それぞれのネジ型歯１７、１７ａのピッチがプライヤ自体の回転に合わせて第１のアーム１４と、第２のアーム１４ａを連通するのがよい。また、あご部１２、１２ａにキー部２０、２０ａを設ける上記のようなプライヤは、キー部２０、２０ａにネジ型歯体１９、１９ａを取り付ける以外に様々な部品を取り付けて、把手部１１、１１ａを挟持することでそれぞれのあご部１２、１２ａが外側に作用して発生する拡張力や、引張力を利用できるプライヤとして用いることもできる。このようなプライヤには、例えば、キー部２０、２０ａにテーパネジや、平行ネジ等を形成するためのリーマの先端部を取り付けてネジ溝形成するためのリーマとして用いるものや、キー部２０、２０ａにスナップリングを挟持できる鍵状先端部を取り付けてスナップリングプライヤとして用いるものがある。
【００３２】
次に、上記の図５、図６を参照しながら、上記の残存物除去装置１０、１０ａの更に変形例の残存物除去装置１０ｂを説明する。
図５、図６に示すように、残存物除去装置１０ｂは、第１のアーム１４と、第２のアーム１４ａのそれぞれの把手部１１、１１ａに貫通孔２３、２３ａを有している。そして、残存物除去装置１０ｂは、この貫通孔２３、２３ａにボルト２４を挿通させると共に、ボルト２４にナット２５、又は蝶ネジ（図示せず）を取り付ける把手部１１、１１ａ間を挟持して固定するためのグリップエンド２６を有している。このグリップエンド２６は、貫通孔２３、２３ａにボルト２４を取り付けて、把手部１１、１１ａ間を挟持した時にえがく軌跡でボルト２４が貫通孔２３、２３ａの壁面に引っかからないようにするために貫通孔２３、２３ａの内径が若干テーパ状となっている。
【００３３】
上記の残存物除去装置１０ｂは、グリップエンド２６を、先ず、それぞれの把手部１１、１１ａに設ける貫通孔２３、２３ａにボルト２４を挿通させ、ボルト２４の端部にナット２５、又は蝶ネジを取り付けた状態で貫通孔２３、２３ａ内で可動自在としている。次いで、残存物除去装置１０ｂは、把手部１１、１１ａ間を挟持してネジ型歯１７、１７ａを残存管３２の内壁に圧接させた状態でボルト２４に取り付けられているナット２５、又は蝶ネジを締め込んでグリップエンド２６で把手部１１、１１ａ間の挟持状態が維持できるようにしている。そして、このグリップエンド２６によって、残存物除去装置１０ｂは、残存管３２の内壁にネジ型歯１７、１７ａを強力に圧接させた状態で残存管３２をスムースに回転させ、容易に雌ネジ付き導管３０の雌ネジ３１部分から残存管３２を引き出している。また、同様にして、残存物除去装置１０ｂは、残存管３２を除去した後の雌ネジ付き導管３０の入口の雌ネジ３１溝に把手部１１、１１ａ間の開放を一定に保ちながら挟持してネジ型歯１７、１７ａを当接させた状態でボルト２４に取り付けられているナット２５、又は蝶ネジを締め込んでグリップエンド２６で把手部１１、１１ａ間の挟持状態が維持できるようにしている。そして、このグリップエンド２６によって、残存物除去装置１０ｂは、雌ネジ付き導管３０の雌ネジ３１溝に当接させた状態でスムースに回転させ、容易に雌ネジ３１溝に残された残留物３３を雌ネジ付き導管３０の奥内に押し出している。なお、残存物除去装置１０ｂは、グリップエンド２６によって、把手部１１、１１ａ間の開放を一定に保つことができるので、ネジ型歯１７、１７ａの前進、後退を繰り返しを行うタップとして用いるときに好適である。
【００３４】
なお、上記のような、ペンチを含む挟み工具全般として用いるようなのプライヤは、通常、物を挟み込んでプライヤ自体を回転させることが想定されており、プライヤのそれぞれのアームを連結させている結合座１３、１３ａが比較的広い面積で、且つ厚さが厚くなっているので、連結部１５が強固にできている。このようなプライヤは、プライヤ自体に強い捻り力を発生させたとしても、なんらプライヤに変形や、破壊等を発生させることなく回転させることができるようになっている。従って、このようなプライヤの形態からなる上記の残存物除去装置１０、１０ａ、１０ｂは、プライヤ自体を雄ネジ付き導管の残存管３２の内壁に圧接させながら、あるいは、雌ネジ付き導管３０の雌ネジ２２溝に当接させながら回転させてプライヤ自体に強い捻り力を発生させたとしても、何らプライヤに変形や、破壊等を発生させることなく回転させることができるようになっている。また、残存物除去装置１０、１０ａ、１０ｂは、プライヤをモンキーレンチ等でくわえさせて強力に回転させたとしても、何らプライヤに変形や、破壊等を発生させることなく回転させることができる。
【産業上の利用可能性】
【００３５】
本考案の残存物除去装置は、水道管や、ガス管等のエルボ等のような雌ネジ付き導管にネジ締めして設け、長期間の使用や、地質、水質等の性質、土圧等による影響や、自然災害等によって雌ネジ付き導管の雌ネジ部分で、又は雌ネジ部分の外で折れ込んだ残存管や、雌ネジ付き導管の雌ネジ部分に残された残留物を取り除く装置として用いることができる。
【符号の説明】
【００３６】
１０、１０ａ、１０ｂ：残存物除去装置、１１、１１ａ：把手部、１２、１２ａ：あご部、１３、１３ａ：結合座、１４：第１のアーム、１４ａ：第２のアーム、１５：連結部、１６：軸心、１７、１７ａ：ネジ型歯、１８：バネ体、１９、１９ａ：ネジ型歯体、２０、２０ａ：キー部、２１、２１ａ：キー溝部、２２、２２ａ：ネジ、２３、２３ａ：貫通孔、２４：ボルト、２５：ナット、２６：グリップエンド、３０：雌ネジ付き導管、３１：雌ネジ、３２：残存管、３３：残留物 
【図１】
0003157349.tif 000003
【図２】
0003157349.tif 000004
【図３】
0003157349.tif 000005
【図４】
0003157349.tif 000006
【図５】
0003157349.tif 000007
【図６】
0003157349.tif 000008
【図７】
0003157349.tif 000009